(57)【特許請求の範囲】
【請求項１】
デジタルカメラであって、
撮影光学系を介して被写体を撮影することにより画像データを取得する撮影部と、
前記撮影光学系から独立した光路を有する光学ファインダと、
前記撮影部により得られた画像データを記録部に記録する記録手段と、
画像を表示する表示手段と、
操作されることにより前記撮影光学系が実絞り状態へと制御され、前記撮影部にて取得された画像データが前記記録部に記録される撮影操作手段と、
操作されることにより前記撮影光学系が実絞り状態へと制御され、前記撮影部にて取得された画像データに基づいて画像が前記表示手段に表示されるプレビュー操作手段と、
を備えることを特徴とするデジタルカメラ。
【請求項２】
請求項１に記載のデジタルカメラであって、
前記光学ファインダの光路上へと移動可能な遮光部材をさらに備え、
前記プレビュー操作手段が操作されることにより、前記遮光部材が前記光学ファインダの光路上へと移動することを特徴とするデジタルカメラ。
【請求項３】
請求項１または２に記載のデジタルカメラであって、
前記光学ファインダ内に実絞り状態表示手段をさらに備え、
前記プレビュー操作手段が操作されることにより、前記実絞り状態表示手段の表示状態が変化することを特徴とするデジタルカメラ。
【請求項４】
請求項１ないし３のいずれかに記載のデジタルカメラであって、
前記プレビュー操作手段が操作されることにより、前記撮影光学系が実絞り状態のまま前記撮影部による画像データの取得および前記表示手段への画像の表示が繰り返し行われることを特徴とするデジタルカメラ。
【請求項５】
請求項４に記載のデジタルカメラであって、
前記表示手段に表示される画像の明るさが適正となるようにシャッタスピードを制御する手段、
をさらに備えることを特徴とするデジタルカメラ。
【請求項６】
請求項４または５に記載のデジタルカメラであって、
前記表示手段に表示される画像の明るさが適正となるようにゲインを制御する手段、
をさらに備えることを特徴とするデジタルカメラ。
【発明の詳細な説明】
【０００１】
【発明の属する技術分野】
この発明は、被写体の画像を画像データとして取得するデジタルカメラに関する。
【０００２】
【従来の技術】
一眼レフタイプ（すなわち、ＴＴＬファインダを有するタイプ）でないデジタルカメラ（レンズシャッタタイプのデジタルカメラと呼ばれることもある。）では、一般に、撮影光学系と光路を共有しない、すなわち、撮影光学系の光路から独立した光路を有する光学系にてファインダを構成し、撮影の際には光学ファインダを用いて被写体を捉えたり、あるいは、光学ファインダを用いることなくデジタルカメラの背面のモニタ表示を見ながら被写体を捉えるようになっている。
【０００３】
【発明が解決しようとする課題】
このように、一眼レフタイプでないデジタルカメラでは、光学ファインダは撮影範囲を把握するために設けられたものであり、光学ファインダと撮影光学系とが独立して設けられる。その結果、撮影の際の被写界深度を光学ファインダを介して確認することができない。
【０００４】
一方、デジタルカメラ背面のモニタ表示にリアルタイムで画像を表示するライブビュー表示を行う場合、撮影光学系の絞りは開放付近に固定される。これは、絞りを適切かつ高速に変化させることが困難であるとともに、一定速度以上で連続的に画像を取得するためには露出を十分に確保する必要があるからである。
【０００５】
このように、モニタにライブビュー表示を行う場合、絞りが開放付近に固定される（いわゆる、開放絞りとなる）ため、モニタの表示を見ても実際の撮影の際の被写界深度を確認することができない。
【０００６】
このようなデジタルカメラにおいて被写界深度を確認するためには、例えば、一度撮影を行った上で再生操作を行い、得られた画像をモニタに表示するという煩雑な作業が必要となる。
【０００７】
そこで、この発明は上記課題に鑑みなされたものであり、撮影光学系から独立した光学ファインダを有するデジタルカメラであって、被写界深度の確認を容易に行うことができるデジタルカメラを提供することを目的としている。
【０００８】
【課題を解決するための手段】
請求項１の発明は、デジタルカメラであって、撮影光学系を介して被写体を撮影することにより画像データを取得する撮影部と、前記撮影光学系から独立した光路を有する光学ファインダと、前記撮影部により得られた画像データを記録部に記録する記録手段と、画像を表示する表示手段と、操作されることにより前記撮影光学系が実絞り状態へと制御され、前記撮影部にて取得された画像データが前記記録部に記録される撮影操作手段と、操作されることにより前記撮影光学系が実絞り状態へと制御され、前記撮影部にて取得された画像データに基づいて画像が前記表示手段に表示されるプレビュー操作手段とを備える。
【０００９】
請求項２の発明は、請求項１に記載のデジタルカメラであって、前記光学ファインダの光路上へと移動可能な遮光部材をさらに備え、前記プレビュー操作手段が操作されることにより、前記遮光部材が前記光学ファインダの光路上へと移動する。
【００１０】
請求項３の発明は、請求項１または２に記載のデジタルカメラであって、前記光学ファインダ内に実絞り状態表示手段をさらに備え、前記プレビュー操作手段が操作されることにより、前記実絞り状態表示手段の表示状態が変化する。
【００１１】
請求項４の発明は、請求項１ないし３のいずれかに記載のデジタルカメラであって、前記プレビュー操作手段が操作されることにより、前記撮影光学系が実絞り状態のまま前記撮影部による画像データの取得および前記表示手段への画像の表示が繰り返し行われる。
【００１２】
請求項５の発明は、請求項４に記載のデジタルカメラであって、前記表示手段に表示される画像の明るさが適正となるようにシャッタスピードを制御する手段をさらに備える。
【００１３】
請求項６の発明は、請求項４または５に記載のデジタルカメラであって、前記表示手段に表示される画像の明るさが適正となるようにゲインを制御する手段をさらに備える。
【００１４】
【発明の実施の形態】
図１ないし図３は、この発明の一の実施の形態に係るデジタルカメラ１の外観を示す図であり、図１はデジタルカメラ１の正面図、図２は背面図、図３は側面図である。なお、図１および図２ではメモリカード４０が装着される様子を理解できるように図示しており、図３ではメモリカードを図示していない。
【００１５】
図１ないし図３に示すように、デジタルカメラ１の正面には、被写体を撮像するためのレンズユニット３１、被写体に向けてフラッシュ光を発するフラッシュ８、および、後述する実絞りプレビューを行うためにプレビューボタン５１が設けられ、背面には、撮像された画像やライブビュー画像を表示するための画素表示型の液晶ディスプレイを有するモニタ２１、撮影モードと再生モードとの間で動作モードを切り替える切替スイッチ６１、および、表示画像を変更したり各種設定条件を変更したりするための４ウェイキー６２が配置される。
【００１６】
また、上部には撮影範囲を見定めるための光学ファインダ７が設けられ、上面には押込操作されることにより被写体の撮影が行われるシャッタボタン（レリーズボタン）５が配置される。さらに、図３に示すように、デジタルカメラ１の側面にはメモリカード４０（図１参照）を装着するカードスロット４１が設けられる。
【００１７】
図４は、デジタルカメラ１のレンズユニット３１およびファインダ７に関する内部構造を示す概略断面図である。なお、図４では通常のライブビューが行われる際の状態を示している。
【００１８】
図４に示すように、デジタルカメラ１の正面から内部へ向けてレンズユニット３１と撮像部３２とが順に配置され、これらの構成によりファインダ７を介して捉えられた被写体の画像信号が取得される。レンズユニット３１は各種レンズと光量制限を行う絞り３１１とから構成され、撮像部３２は、レンズユニット３１により被写体の像が形成される撮像センサ３２１、および、撮像センサ３２１の光軸前面に配置されてモアレの低減を行う光学ローパスフィルタ３２２から構成される。
【００１９】
一方、ファインダ７はファインダ光学系７１、並びに、ソレノイド７２、遮光部材７３および警告灯７４を有し、ファインダ光学系７１はレンズユニット３１から独立して設けられる。すなわち、ファインダ光学系７１の光軸７１０とレンズユニット３１の光軸３１０とは交わることがなく、これらの光学系は光路を共有しないようになっている。
【００２０】
ファインダ７に設けられる遮光部材７３はソレノイド７２によりファインダ光学系７１の光路を遮る位置と光路から退く位置との間で移動可能とされており、後述する被写界深度確認操作の際には遮光部材７３がファインダ光学系７１の光路上へと移動し、操作者がファインダ７を使用することができないようになる。このとき、さらに警告灯７４がファインダ７内で点灯し、操作者の誤操作を防止するようになっている（図６参照）。
【００２１】
撮像センサ３２１は、光軸に対して垂直な平面（撮像面）内に複数の画素を有する全画素読み出しタイプのＣＣＤエリアセンサによって構成される。この撮像センサ３２１の撮像面側にはＲ（赤）、Ｇ（緑）、Ｂ（青）の原色透過フィルタが画素単位で市松状に貼られており、各画素はレンズユニット３１を介して入射する光の色成分ごとの刺激値を取得する。
【００２２】
次に、デジタルカメラ１の機能構成について説明する。図５は、デジタルカメラ１の機能構成を示すブロック図である。
【００２３】
撮像部３２で得られた画像信号は、相関二重サンプリング部（ＣＤＳ：Correlated Double Sampling）３３１、オートゲインコントロール部（ＡＧＣ）３３２、Ａ／Ｄ変換器３３３を介して画像処理部１０に導かれる。すなわち、画像信号は、相関二重サンプリング部３３１においてサンプリングされて撮像センサ３２１によるノイズ成分が除去され、その後、オートゲインコントロール部３３２において感度補正が行われる。Ａ／Ｄ変換器３３３は、例えば１０ビットＡ／Ｄ変換器であり、オートゲインコントロール部３３２から得られる正規化されたアナログ信号をデジタル信号に変換する。
【００２４】
以上のように、デジタルカメラ１ではレンズユニット３１、撮像部３２、並びに、得られた画像信号に処理を施す各構成３３１〜３３３が撮影された被写体のデジタル画像信号（以下、「画像データ」という。）を取得する撮影部を構成している。
【００２５】
また、撮影時におけるデジタルカメラ１の各機構部を制御するために、カメラ制御ＣＰＵ１４が設けられ、カメラ制御ＣＰＵ１４は絞りドライバ１５およびタイミングジェネレータ１６に対して制御信号を送出する。ここで、撮像センサ３２１による撮像を連続的に行って画像データを取得し、モニタ２１にプレビュー画像をほぼリアルタイムにて表示する（通常の）ライブビュー時と、記録を目的として撮影を行う本撮影時とにおいて、カメラ制御ＣＰＵ１４の動作が相違する。
【００２６】
ライブビュー時においては、絞りドライバ１５により絞り３１１は開放固定とされる（図４参照）。そして、撮像センサ３２１上の測光エリアからの光量データに従ってカメラ制御ＣＰＵ１４にて露出制御データが算出され、露出制御データと予め準備されたプログラム線図とに基づいてタイミングジェネレータ１６による露光時間が適正となるようにフィードバック制御が行われる。なお、シャッタスピードの制御のみで露光が適正に制御できない場合にはゲインの制御も行われる。
【００２７】
一方、シャッタボタン５が操作される本撮影時には、露出制御データとプログラム線図とに基づいて絞り３１１の絞り値および撮像センサ３２１の蓄積時間（すなわち、シャッタスピード）がカメラ制御ＣＰＵ１４により求められる。そして、求められた結果に従ってカメラ制御ＣＰＵ１４が絞りドライバ１５およびタイミングジェネレータ１６に対して制御信号を与え、本撮影時の絞りの状態へと制御された上で露光量が適切に制御される。
【００２８】
すなわち、絞りドライバ１５がカメラ制御ＣＰＵ１４からの制御信号に基づいて絞り３１１を駆動して絞り径の調整を行い、タイミングジェネレータ１６がカメラ制御ＣＰＵ１４からの制御信号に基づいて撮像センサ３２１の蓄積開始タイミングおよび終了タイミングの制御を行う。なお、露光が適正に制御できない場合にはゲインの制御も行われる。
【００２９】
また、カメラ制御ＣＰＵ１４は、シャッタボタン５、被写界深度確認用のプレビューボタン５１、切替スイッチ６１、４ウェイキー６２等と接続されており（以下、シャッタボタン５およびプレビューボタン５１以外の操作スイッチを「操作スイッチ６」という。）、シャッタボタン５により撮影タイミングがカメラ制御ＣＰＵ１４に入力され、操作スイッチ６により各種設定条件や動作モード等がカメラ制御ＣＰＵ１４に入力される。なお、プレビューボタン５１が操作された場合のデジタルカメラの動作については後述する。
【００３０】
さらに、カメラ制御ＣＰＵ１４はファインダ制御部１７に接続されており、ファインダ制御部１７は遮光部材７３のソレノイド７２および警告灯７４の動作を制御する。これらの構成は、プレビューボタン５１が操作された場合に利用される。
【００３１】
カメラ制御ＣＰＵ１４は、画像処理部１０と相互にデータ交換可能に接続されており、例えば、各種設定条件を画像処理部１０へと送ったり、画像処理部１０の動作状態を受け取ったりする。
【００３２】
一方、デジタル化された画像信号である画像データに対して複数種類の処理を施す画像処理部１０は、例えば、１チップのＩＣ（Integrated Circuit）として実現されており、画像処理を行う構成として、画素の値を周囲の画素の値で補間する画素補間部１０１、ホワイトバランス補正を行うカラーバランス制御部１０２、出力機器に応じた非線形補正を行うガンマ補正部１０３、および、処理済みの画像データを圧縮する画像圧縮部１０４を有する。これらの構成はバスライン１１０との間でデータの受け渡しを行い、バスライン１１０には、各種演算処理を行うためのＣＰＵ１１１、基本プログラムを記憶するＲＯＭ１１２および作業領域となるＲＡＭ１１３が接続される。なお、画像圧縮部１０４では圧縮された画像データの伸張処理も行われる。
【００３３】
さらに、バスライン１１０には画像をモニタ２１に表示するためのビデオエンコーダ１２１、圧縮された画像データをメモリカード４０に記録するメモリカードドライバ１２２、および、撮影により取得された画像データを一時的に格納しておく画像メモリ１３が接続される。
【００３４】
ビデオエンコーダ１２１は、画像データをＮＴＳＣ方式若しくはＰＡＬ方式のデータにエンコードし、モニタ２１に画像をプレビュー表示させる。
【００３５】
メモリカードドライバ１２２は、メモリカードとの間でデータの受け渡しを行う部位であり、ユーザにより画像データの保存が指示された場合には画像メモリ１３内の画像データが画像圧縮部１０４により圧縮された後、カードスロット４１を介してメモリカード４０へと保存される。逆に、メモリカード４０からの画像データの読み出しが指示された場合には、メモリカードドライバ１２２により画像データがメモリカード４０から読み出され、画像圧縮部１０４にて伸張処理された後、画像メモリ１３へと格納される。これにより、読み出された画像データがモニタ２１にて表示可能となる。
【００３６】
なお、メモリカード４０は半導体メモリを利用した記録媒体には限定されず、磁気ディスクや光磁気ディスクを利用した記録媒体であってもよい。また、メモリカード４０以外にデジタルカメラ１内部に画像データ保存用のメモリが別途設けられてもよい。
【００３７】
画像処理部１０内のＣＰＵ１１１、ＲＯＭ１１２およびＲＡＭ１１３は、デジタルカメラ１の様々な動作を制御する構成であり、ＲＯＭ１１２に格納されている基本プログラムに従ってＲＡＭ１１３を作業領域としつつＣＰＵ１１１が演算処理を実行することにより、デジタルカメラ１の撮影条件の設定や画像の表示操作等が行われる。また、図５では、各処理部１０１〜１０４が専用の電気的回路で設けられるものとしてブロックにて図示しているが、ＣＰＵ１１１、ＲＯＭ１１２、ＲＡＭ１１３によりこれらの処理部１０１〜１０４の任意のもの（あるいはその一部）の機能が実現されてもよい。
【００３８】
以上、この発明に係るデジタルカメラ１の構成について説明してきたが、デジタルカメラ１では、ファインダ７とレンズユニット３１とが独立して設けられる。すなわち、ファインダ光学系７１の光路と撮影光学系の光路とが独立して設けられる。そして、通常のデジタルカメラと同様に、シャッタボタン５が操作されると本撮影に適した絞り値、シャッタスピード、ゲイン等の条件にて画像データが取得され、さらに、適宜画像処理が施されてメモリカード４０へと画像データが記録される。次に、デジタルカメラ１における被写界深度確認の際の動作について説明する。
【００３９】
図６はデジタルカメラ１において被写界深度確認の際の絞り３１１およびファインダ７の様子を示す図であり、図７は被写界深度確認の際のデジタルカメラ１の動作の流れを示す流れ図である。すなわち、図７はプレビューボタン５１が押込操作された際の動作の流れを示している。
【００４０】
なお、デジタルカメラ１において被写界深度の確認は、モニタ表示を見ることにより行われ、このとき、モニタ２１には絞り３１１を本撮影の際の絞り値にした画像（以下、「実絞りプレビュー画像」という。）が表示される。また、プレビューボタン５１が短時間押された場合には、実絞りプレビュー画像がモニタ２１に表示され、プレビューボタン５１が押され続けた場合には、実絞りプレビュー画像が繰り返し更新されるものとする（以下、このような動作を「実絞りライブビュー」と呼ぶ。）。
【００４１】
デジタルカメラ１において切替スイッチ６１が撮影モードとされ、さらに、プレビューボタン５１が押されると、まず、図６に示すように、ソレノイド７２がＯＮとされることにより遮光部材７３がファインダ光学系７１の光路上に移動し、ファインダ７を使用不可とする（ステップＳ１１）。さらに、実絞りプレビュー画像が表示されるモード（以下、「実絞りプレビューモード」という。）であることを示すために警告灯７４を発光する（ステップＳ１２）。これにより、操作者が誤ってファインダ７を覗こうとした場合に容易に実絞りプレビューモードであることに気づくようになっている。これらの動作は、図５においてプレビューボタン５１の操作があった旨をカメラ制御ＣＰＵ１４からファインダ制御部１７へと伝えられ、ファインダ制御部１７がソレノイド７２および警告灯７４を制御することにより行われる。
【００４２】
次に、撮像センサ３２１上の測光エリアからの光量データに従ってカメラ制御ＣＰＵ１４にて露出制御データが算出され、露出制御データと予め準備されたプログラム線図とに基づいて本撮影時の絞り値が求められる（ステップＳ１３）。さらに、プレビューとして適正な露出となるようにプレビュー用のシャッタスピード（図１に示すデジタルカメラ１の場合には、撮像センサ３２１における電荷蓄積時間）および必要に応じてプレビュー用のゲインが求められる（ステップＳ１４，Ｓ１５）。シャッタスピードとゲインとの関係については詳細に後述する。
【００４３】
絞り値、シャッタスピードおよびゲインが求められると、これらの条件で撮影が行われて画像データが取得される（ステップＳ１６）。これにより、絞り３１１が実絞り状態となり、本撮影と同様の被写界深度にて撮影が行われる。さらに、得られた画像データに基づいて実絞りプレビュー画像がモニタ２１に表示される（ステップＳ１７）。なお、プレビューボタン５１が押される前にモニタ２１がＯＦＦの状態であっても、強制的にＯＮとされて表示が行われる。
【００４４】
プレビューボタン５１が短時間のみ押された場合には、ステップＳ１８にてプレビューボタン５１が現在は押されていないと確認され、実絞りプレビューモードが解除される。すなわち、ソレノイド７２がＯＦＦとされることによりファインダ７内の遮光部材７３がファインダ光学系７１の光路から外れた位置に移動し、警告灯７４が消灯される（ステップＳ１９、図４参照）。
【００４５】
一方、プレビューボタン５１が継続的に押される場合には、ステップＳ１３〜Ｓ１８が繰り返し行われる。これにより、連続的に実絞りプレビュー画像の更新が行われ、実絞りライブビューとなる。すなわち、本撮影時の絞りの状態（以下、「実絞り状態」という。）にてライブビューが行われる。
【００４６】
次に、実絞りプレビュー画像を表示するためのプレビュー用のシャッタスピードおよび必要に応じてプレビュー用のゲインを求める動作について説明を行う。
【００４７】
プレビュー用のシャッタスピード（シャッタが開放される時間に相当する電荷蓄積時間（単位：秒））としては、本撮影時のシャッタスピードと同様であってもよいが、実絞りプレビューとして、すなわち、被写界深度確認用の画像として適正な露出となるように（例えば、本撮影により得られる画像よりも明るい画像を得るために）別途シャッタスピードが求められることが好ましい。
【００４８】
その一方で、実絞りライブビュー時のように実絞りプレビュー画像の表示更新をできるだけ速く行うためにシャッタスピード（シャッタが開放される時間）を一定時間よりも短くする必要がある場合には、シャッタスピードを一定時間以下に制限し、オートゲインコントロール部３３２や画像処理部１０にてゲインを高く設定し、画像データ（画像信号）のレベルを高くする。
【００４９】
このような絞り値、シャッタスピード、ゲインの関係の具体例を通常のライブビュー時と実絞りライブビュー時とを対比しながら以下に説明する。
【００５０】
通常のライブビュー時には、既述のように、プレビュー画像の表示の更新速度を最も優先して処理が行われる。したがって、絞り３１１の追随性の影響をなくすために図４に例示するように絞り３１１がほぼ開放とされる。ここで、シャッタスピードが１／４０００秒〜１／１５秒の間で制御可能であるとすると、基本的にはシャッタスピードを制御して適切な露出とされる。
【００５１】
そして、被写体が明るすぎる場合には、シャッタスピードを１／４０００秒とし、さらに、ゲインを下げることにより、適切な画像データを取得する。逆に、被写体が暗すぎる場合には、シャッタスピードを１／１５秒とし、さらに、ゲインを上げることにより適切な画像データを取得する。
【００５２】
これに対し、実絞りライブビューでは、実絞りプレビュー画像の更新速度よりも絞り値を本撮影時の絞り値（すなわち、実絞り状態）とすることが優先される。
【００５３】
例えば、開放状態の絞り値がＦ２．８であり、ある撮影環境での本撮影時の撮影条件において、絞り値がＦ４、ゲインが６ｄＢ、シャッタスピードが１／１２５秒であるものとすると、実絞りライブビューでは、プレビューボタン５１が押されるとほぼ同時に絞り値がＦ４へと変更されるが、シャッタスピードを１／１２５秒にすると得られる画像が暗くなりすぎるので、シャッタスピードが１／６０秒とされる。ここで、シャッタスピードの変更で露出が適正になるものとすると、ゲインは６ｄＢから変更されるない。
【００５４】
他の撮影環境において、本撮影時の絞り値がＦ４、ゲインが６ｄＢ、シャッタスピードが１／１５秒であるとすると、実絞りライブビューが行われると同時に絞り値はＦ４とされるが、本撮影時のシャッタスピードでは得られる画像が暗くなりすぎる。ここで、適切な明るさの実絞りプレビュー画像を得るには、シャッタスピードを１／８秒とすることが好ましいが、シャッタスピードを１／８秒にすると実絞りライブビューの画像（動画）がぎこちなく表示されるため、シャッタスピードは１／１５秒に維持される。そして、画像データのレベルを上げるためにゲインが７ｄＢへと変更される。
【００５５】
以上のように、実絞りライブビュー時においては、実絞り状態を維持したままシャッタスピードやゲインを制御することにより適正な実絞りプレビュー画像を取得する。なお、上記動作説明は具体例を説明したにすぎず、画像データのレベル（すなわち、画像の明るさ）は、ゲインのみにより調整されてもよく、シャッタスピードのみにより調整されてもよく、シャッタスピードとゲインとの双方を用いて調整されてもよい。実絞りプレビュー画像用のシャッタスピードおよびゲインの算出はカメラ制御ＣＰＵ１４により行われ、シャッタスピードの制御はタイミングジェネレータ１６により行われ、ゲイン（実質的には画像データのレベル）の制御はオートゲインコントロール部３３２または画像処理部１０により行われる。
【００５６】
このように、この発明に係るデジタルカメラ１ではプレビューボタン５１が操作されることにより、実絞り状態にて画像データが取得されるとともにモニタ２１には本撮影時と同じ被写界深度にて撮影された実絞りプレビュー画像が自動的に表示される。その結果、一操作で実絞りプレビュー画像を見ることができ、煩雑な操作を行うことなく被写界深度を確認することが可能となる。また、プレビューボタン５１が押され続けることにより実絞りプレビュー画像の更新が繰り返し行われ、実絞りライブビューも実現される。
【００５７】
また、実絞りプレビューモードでは遮光部材７３によりファインダ７が使用不可となり、さらに、警告灯７４が点灯することにより操作者が容易に実絞りプレビューモードであることを認識することができ、誤操作を防止することができる。
【００５８】
さらに、実絞りライブビュー時にはプレビュー用のシャッタスピードおよび／またはゲインが求められるので、適正な明るさの実絞りプレビュー画像が得られる。
【００５９】
以上、この発明に係るデジタルカメラ１について説明してきたが、この発明は上記実施の形態に限定されるものではなく、様々な変形が可能である。
【００６０】
例えば、上記実施の形態では、プレビューボタン５１が押され続ける場合に実絞りライブビューが実行されるようになっているが、実絞りプレビュー画像を１回だけ取得するモードと実絞りライブビューを行うモードとを切り替える手段が設けられてもよい。
【００６１】
また、上記実施の形態では、実絞りライブビューにおいて本撮影時の絞り値は各実絞りプレビュー画像の画像データを取得する前に繰り返し求められるものとして説明したが、プレビューボタン５１が押されるごとに１回だけ求められてもよい。すなわち、プレビューボタン５１が押され続けられる間は絞りは固定とされてもよい。これにより、絞り３１１の追従性による影響を緩和することができる。
【００６２】
また、上記実施の形態において、実絞りプレビューモードにおいて取得された画像データは、画像処理されることなくモニタ２１に表示されてもよく、簡易な処理（画像データのレベル調整を含む）が施された後、モニタ２１に表示されてもよい。
【００６３】
また、上記実施の形態では、ファインダ７内に遮光部材７３および警告灯７４を設けるようにしているが、遮光部材７３および警告灯７４のいずれかがファインダ７に設けられるのみであっても、操作者に実絞りプレビューモードであることを知らせることができる。
【００６４】
【発明の効果】
請求項１ないし６に記載の発明では、プレビュー操作手段が操作されることにより実絞り状態にて取得された画像が表示され、被写界深度の確認を容易に行うことができる。
【００６５】
また、請求項２および３に記載の発明では、誤操作を防止することができる。
【００６６】
また、請求項４に記載の発明では、ライブビューにて被写界深度の確認を行うことができる。
【００６７】
また、請求項５および６に記載の発明では、被写界深度の確認を行う画像を適正な明るさとすることができる。
【図面の簡単な説明】
【図１】この発明の一の実施の形態に係るデジタルカメラの正面図である。
【図２】デジタルカメラの背面図である。
【図３】デジタルカメラの側面図である。
【図４】通常のライブビューが行われる際のデジタルカメラの内部構造の様子を示す断面図である。
【図５】デジタルカメラの機能構成を示すブロック図である。
【図６】実絞りライブビューが行われる際のデジタルカメラの内部構造の様子を示す断面図である。
【図７】プレビューボタンが押された際のデジタルカメラの動作の流れを示す流れ図である。
【符号の説明】
１  デジタルカメラ
５  シャッタボタン
７  ファインダ
１０  画像処理部
１４  カメラ制御ＣＰＵ
１６  タイミングジェネレータ
２１  モニタ
３１  レンズユニット
３２  撮像部
４０  メモリカード
４１  カードスロット
５１  プレビューボタン
７１  ファインダ光学系
７２  ソレノイド
７３  遮光部材
７４  警告灯
１２２  メモリカードドライバ
３１０，７１０  光軸
３１１  絞り
３３２  オートゲインコントロール部
【図１】
0003714072.tif 000002
【図２】
0003714072.tif 000003
【図３】
0003714072.tif 000004
【図４】
0003714072.tif 000005
【図５】
0003714072.tif 000006
【図６】
0003714072.tif 000007
【図７】
0003714072.tif 000008